(57)【要約】【課題】  袋体にガス吸着剤を封入したガス除去具などを展示ケースの底板に敷き詰めたり、展示ケース内の隅に配置したりして、有害ガスを除去低減する方法が試みられているが、効果的に十分とは言えず展示ケース内の空気を循環して有害ガスを除去低減する方法が期待されていた。【解決手段】  ソーラー発電パネルを使用してファンモータを回転駆動し、展示ケース内に空気流を発生させて、展示ケース内の微量濃度の有害ガスを含んだ空気を脱臭フィルタの吸着材に接触させ、有害ガス濃度を除去低減しょうとしたものである。【選択図】図１
2014025692.tif 000002
【特許請求の範囲】
【請求項１】
吸込口を形成した一端側と、排気口を形成した他側端と、底板と天板とから形成した本体からなり、本体内に吸込口側から順に脱臭フィルタとフアンモーターを配置した構成で、天板にソーラー発電パネルを取り付け、このソーラー発電パネルに展示ケースの照明ビームを当てて発生する電力によってフアンモータが回転駆動するようにしたことを特徴とした展示ケース用空気清浄器。
【請求項２】
フアンモーターの回転駆動により発生した展示ケース内の微量濃度の有害ガスを含んだ空気流が脱臭フィルタに接触して有害ガスの除去低減をはかるようにしたことを特徴とした請求項１の展示ケース用空気清浄器。
【発明の詳細な説明】
【技術分野】
【０００１】  展示ケース内にフアンモーター内臓型の空気清浄器を設置して、ケース内の空気を循環して有害ガスを除去低減するようにしたもので、特に本発明はソーラー発電によりフアンモーターを回転駆動するようにしたものである。
【背景技術】
【０００２】  美術館、博物館にあっては、一部が透明性を有する部材によって構成された室を設け、当該室内に収容された文化財が外部から視認できるようにした展示ケースが設置されている。そして、この展示ケース内に収容された美術品や工芸品などの文化財は展示ケース外周辺の有害ガスや浮遊粉じんなどによって悪影響を受けないように密閉状態で保管されている。【０００３】  一方、展示ケースは建材や内装材から構成されていることから、建材や内装材からｐｐｂレベルの微量なホルムアルデヒドや有機酸などの有害ガスが発生するため、短期間であっても有害ガスの濃度が高くなって文化財に悪影響を与える懸念があった。【０００４】  そこで、従来は袋体にガス吸着剤を封入したガス除去具などを展示ケースの底板に敷き詰めたり、展示ケース内の隅に配置したりして、有害ガスを除去低減する方法が試みられている。【０００５】  しかし、これらのガス除去具は展示の見栄えに影響を与えないように、ガス吸着剤の量が制限されガス吸着機能の寿命が早い事と、空気の流れがないため展示ケース内の有害ガスを均一に除去する事が難しかった。【０００６】そこで、展示ケースに空気流通口を形成し展示ケース内の空気を流通して排気口にガス除去具を配置する構造も考えられているが、展示ケースの構造がおおがかりになる上コスト的にもかなり高くなるなどの問題があった。【０００７】  さらに、展示ケース内の空気を循環して有害ガスを除去低減する方法として、１００Ｖや電池を使用してフアンを駆動した有害ガス吸着器も考えられているが、１００Ｖ電源では火災の問題が懸念され、電池を電源にしたタイプでは電池の寿命が考えられ実装品として完成したものはなかった。
【発明の概要】
【発明が解決しようとする課題】
【０００８】  本発明はこれらの課題を解決しょうとしたもので、本発明の第１の目的は，展示ケース内に収容されている文化財が有害なガスによって損なわれるのを防止したものである。【０００９】  本発明の第２の目的は，展示ケース内にフアンモーター内臓型の空気清浄器を設置して、ケース内の空気を循環して有害ガスを除去低減するようにしたものである。【００１０】  本発明の第３の目的は，ソーラー発電によりフアンモーターを回転駆動するようにしたものである。
【課題を解決するための手段】
【００１１】  本発明の第１の解決手段は、吸込口を形成した一端側と、吹出口を形成した他側端と、底板と天板とから形成した本体からなり、本体内に吸込口側から順に脱臭フィルタとフアンモーターを配置した構成で、天板にソーラー発電パネルを取り付けた構造である。【００１２】本発明の第２の解決手段は、天板に取り付けたソーラー発電パネルに展示ケース内の照明ビームを当てることによって発生する電力でフアンモーターを回転するようにしたものである。【００１３】  本発明の第３の解決手段は、フアンモーターの回転により発生した空気流が脱臭フィルタに接触して除去低減されるようにしたものである。【００１４】  本発明の第４の解決手段は、脱臭フィルタは多孔性物質から成る吸着材に酸化チタンなどの触媒粒子を添着したもの、またはイオン交換基をグラフト重合して得られた粒状の吸着材を不織布や織布で挟み込んで一体にした吸着体あるいは多孔パネルで密封ないしは梱包したものから構成したものである。【００１５】  ここで、ソーラー発電パネルは多結晶シリコンソーラーパネル、単結晶シリコンソーラーパネル、アモルファスシリコンなどの薄膜ソーラーパネルなどが好適に使用される。【００１６】  また、ファンモータとしては、ブラシレス軸流ファンモータ、クロスフローファンモータなどが好適に使用できる。また、接続するファンモータの数はソーラー発電パネルの発電電力とファンモータの消費電力により決定される。
【発明の効果】
【００１７】（１）ソーラー発電パネルで発生した電力をファンモータに供給してファンを回転するようにしたので、展示ケース内に循環空気流が発生し、結果、展示ケース内の空気が均一となるため有害ガスの除去低減が確実となる。
（２）展示ケース内の照明ビームによりソーラー発電パネルの電力が発生するので、長期間連続運転可能となり、その分脱臭機能が働くため有害ガスの除去低減が確実となる。
（３）展示ケース内の空気流を脱臭フィルタに接触させて脱臭するようにしたので、フアンの微小回転に対しても循環空気流が維持される。
【図面の簡単な説明】
【００１８】
【図１】本発明に係る展示ケース用空気清浄器の実施の形態を示す概略断面図である。
【発明を実施するための形態】
【００１９】  以下、図面を参照しながら本発明に係る展示ケース用空気清浄器の実施の形態について説明する。
【００２０】  １は展示ケース用空気清浄器本体で、本体１はて底板２、天板３および右側板４、左側板５から構成されている。さらに、左側板５には吸込口６が、右側板４には排気口７がそれぞれ形成されている。
【００２１】  また、天板３にはソーラー発電パネル８が取り付けられ、本体１内の排気口７側に配置されたファンモータ９が図示しないワイヤーハーネスによって電気的に接続され、ソーラー発電パネル８によって発電された電力がファンモータ９に供給されるようになっている。
【００２２】  そのため、展示ケース内の照明ビームがソーラー発電パネル８に照射されると、ソーラー発電パネル８が発電し、その電力がファンモータ９に供給されファンモータ９が回転駆動されて空気流が発生する。この空気流の順路は、空気の吸込口６から吸込口６の空気下流側に配設された脱臭フィルタ１０を通過して排気口７より展示ケース内に吹出されるようになっている。そしてこの空気流の順路が繰り返されることにより展示ケース内の空気が清浄化されるようになる。
【００２３】  特に、脱臭フィルタ１０は空気中に含まれる微量濃度のホルムアルデヒドや有機酸などの有害ガスを吸着する多孔性物質から成る吸着材に酸化チタンなどの触媒粒子を添着した吸着材１１を空気流に沿って並列に並べて構成されているので、吸込口６から吸入された微量濃度のホルムアルデヒドや有機酸などの有害ガスは吸着材１１に接触して除去低減されるようになっている。
【００２４】  右側板４の外側面にはソーラー発電パネル８とファンモータ９とを結ぶ回路をオン、オフするスイッチ１２が設けられている。
【００２５】  空気清浄装置は以上のような構成であることから、使用にあたっては、まず空気清浄器を展示ケース内に持ち込み、スイッチ１２をオンしてファンモータ９を回転駆動する。ファンモータ９の作動によって展示ケース内の空気が吸込口６から吸入され、空気中の微量濃度のホルムアルデヒドや有機酸などの有害ガスが吸着材１１と接触して通過する。この時、有害ガスは吸着材１１に接触して有害ガスの除去低減がなされる。さらに、有害ガスの除去低減がなされた空気が排気口７より展示ケース内に吹出される。これにより、展示ケース内の有害ガスの濃度は薄められる。さらに薄められた展示ケース内の空気を再び吸込口６から吸入し、脱臭フィルタ１０の吸着材１１間に接触して、有害ガス濃度をさらに薄めて排気口７より展示ケース内に吹出す。この作動を繰り返すことにより、好ましい清浄化された空気で展示ケース内は充満される。
【００２６】  一方、ファンモータ９の回転駆動によりソーラー発電パネル８の電力が消費されるが、展示ケース内の照明ビームがソーラー発電パネル８に照射されると、ソーラー発電パネル８が発電されるため。長時間使用が可能となる。
【００２７】  尚、本実施例では有害ガスを吸着材に接触して除去低減をはかっているが、一実施例を述べたもので、これに限定されることなく例えば有害ガスを吸着材でろ過して除去低減をはかっても何ら本発明の要旨を変更するものではない。このように、本発明はソーラー発電パネル８を使用してファンモータ９を回転駆動し、展示ケース内に空気流が発生させるようした構造のものであれば良く種々変更しても何ら本発明の要旨を変更するものではない。
【産業上の利用可能性】
【００２８】  本発明は、ソーラー発電パネルを使用してファンモータを回転駆動し、展示ケース内に空気流を発生させて、展示ケース内の微量濃度の有害ガスを含んだ空気を脱臭フィルタの吸着材に接触させ、有害ガス濃度を除去低減しょうとしたもので実用上甚だ大なるものである。
【符号の説明】
【００２９】１・・・本体      ２・・・底板      ３・・・天板      ４・・・右側板
５・・・左側板      ６・・・吸込口      ７・・・排気口
８・・・ソーラー発電パネル      ９・・・ファンモータ
１０・・・脱臭フィルタ      １１・・・吸着材      １２・・・スイッチ
【図１】
2014025692.tif 000003